(57)【要約】  ディスプレイシステムが、複数のディスプレイデバイスと、複数のディスプレイ制御デバイスとを具え、各ディスプレイデバイスは、少なくとも１のディスプレイ制御デバイスに接続されており、データ処理デバイス及びデータネットワークを具え、前記データ処理デバイスは前記データネットワークを介して各ディスプレイ制御デバイスに接続されている。データ処理デバイスは、制御信号をディスプレイ制御デバイスに伝送するよう構成され、前記制御信号は映像信号設定データを含み、当該映像信号設定データはタイミング及び周波数データを含む。代替的に又は付加的に、制御信号は、少なくとも省電力データ、メモリ使用のデータ、明度及びコントラストのデータ、色温度のデータ、又はディスプレイアドレスのデータのうちの１つを具えていてもよい。【選択図】図１
2009506355.tif 000002
【特許請求の範囲】
【請求項１】
複数のディスプレイデバイスと、複数のディスプレイ制御デバイスとを具え、各ディスプレイデバイスが少なくとも１のディスプレイ制御デバイスに接続されており、データ処理デバイス及び汎用データネットワークを具え、前記データ処理デバイスが前記データネットワークを介して各ディスプレイ制御デバイスに接続されており、前記データ処理デバイスは制御信号をディスプレイ制御デバイスに伝送するように構成され、前記制御信号は映像信号設定データを含み、当該映像信号設定データはタイミング及び周波数データを含むことを特徴とするディスプレイシステム。
【請求項２】
請求項１に記載のディスプレイシステムにおいて、前記制御信号が更に省電力データを含むことを特徴とするディスプレイシステム。
【請求項３】
請求項１又は２に記載のディスプレイシステムにおいて、前記制御信号が更にディスプレイアドレスのデータを含むことを特徴とするディスプレイシステム。
【請求項４】
請求項１、２又は３に記載のディスプレイシステムにおいて、前記制御信号が更にメモリ使用のデータを含むことを特徴とするディスプレイシステム。
【請求項５】
請求項１ないし４のいずれか１項に記載のディスプレイシステムにおいて、前記制御信号が更に明度及びコントラストのデータを含むことを特徴とするディスプレイシステム。
【請求項６】
請求項１ないし５のいずれか１項に記載のディスプレイシステムにおいて、前記制御信号が更に色温度のデータを含むことを特徴とするディスプレイシステム。
【請求項７】
請求項１ないし６のいずれか１項に記載のディスプレイシステムにおいて、前記ディスプレイ制御デバイスが前記制御信号の伝送を要求するように構成されることを特徴とするディスプレイシステム。
【請求項８】
請求項１ないし７のいずれか１項に記載のディスプレイシステムにおいて、少なくとも１の前記ディスプレイ制御デバイスが、ディスプレイデバイスの１つと一体であることを特徴とするディスプレイシステム。
【請求項９】
ディスプレイシステムを操作する方法であって、前記ディスプレイシステムが複数のディスプレイデバイスと、複数のディスプレイ制御デバイスとを具え、各ディスプレイデバイスが少なくとも一のディスプレイ制御デバイスに接続されており、データ処理デバイス及び汎用データネットワークとを具え、前記データ処理デバイスが前記データネットワークを介して各ディスプレイ制御デバイスに接続されており、前記方法が、制御信号を前記データ処理デバイスから１のディスプレイ制御デバイスへ伝送するステップを具え、前記制御信号は映像信号設定データを含み、当該映像信号設定データはタイミング及び周波数データを含むことを特徴とする方法。
【請求項１０】
請求項９に記載の方法において、前記制御信号が更に省電力データを含むことを特徴とする方法。
【請求項１１】
請求項９又は１０に記載の方法において、前記制御信号が更にディスプレイアドレスのデータを含むことを特徴とする方法。
【請求項１２】
請求項９、１０又は１１に記載の方法において、前記制御信号が更にメモリ使用のデータを含むことを特徴とする方法。
【請求項１３】
請求項９ないし１２のいずれか１項に記載の方法において、前記制御信号が更に明度及びコントラストのデータを含むことを特徴とする方法。
【請求項１４】
請求項９ないし１３のいずれか１項に記載の方法において、前記制御信号が更に色温度のデータを含むことを特徴とする方法。
【請求項１５】
請求項９ないし１４のいずれか１項に記載の方法において、前記ディスプレイ制御デバイスから前記制御信号の伝送を要求するステップを具えることを特徴とする方法。
【請求項１６】
複数のディスプレイデバイスと、複数のディスプレイ制御デバイスとを具え、各ディスプレイデバイスが少なくとも１のディスプレイ制御デバイスに接続され、データ処理デバイス及び汎用データネットワークとを具え、前記データ処理デバイスは前記データネットワークを介して各ディスプレイ制御デバイスに接続されており、前記データ処理デバイスは制御信号をディスプレイ制御デバイスに伝送するように構成され、前記制御信号は少なくとも省電力データ、メモリ使用のデータ、明度及びコントラストのデータ、色温度のデータ、又はディスプレイアドレスのデータのうちの１つを含むことを特徴とするディスプレイシステム。
【発明の詳細な説明】
【技術分野】
【０００１】
本発明はディスプレイシステム及びディスプレイシステムの操作方法に関する。本発明は表示タイミング、省電力モード、及び画素に対するメモリマッピングをネットワークベースで制御することに関する。
【背景技術】
【０００２】
コンピュータのような処理デバイスをディスプレイに接続するとき、そのディスプレイがどのように駆動するかは広範で多様なパラメータを用いて説明することができる。最も一般的にＶＧＡ又はＤＶＩ接続を用いてモニタに接続するＰＣの場合、これらのパラメータはピクセルクロック並びに水平及び垂直同期信号用のタイミング及び周波数設定を含んでいる。これらのパラメータを変更すると、ディスプレイの解像度、スクリーン上のイメージの位置、及びディスプレイのリフレッシュレートその他が変化する。ほとんどのディスプレイ上では、実際のイメージは適正速度でフレームバッファメモリからピクセル値を読み込み、適正な時間にディスプレイデバイスへピクセル値を送信することにより生成され、適正速度は上述したパラメータに依存している。この処理に用いられる記憶域及び関与するディスプレイメモリ量も、ディスプレイの様々な態様に影響を受け、指定されたタイミング信号に依存してもよい。
【０００３】
様々なディスプレイが様々なパラメータの許容範囲を有するため、処理デバイスが適正に自己設定するためには、接続されているディスプレイについて知ることが必要である。最新のディスプレイデバイスの多くは、自己及び処理デバイスのいくつかの特徴を識別することができ、これによりどの設定が最も適切かについて決定することができる。（ＶＧＡ接続の場合において）用いられるこのようなシステムの一つが、ＶＥＳＡ  ＤＤＣ（ディスプレイデータチャネル）規格である。付属モニタを有する従来のＰＣ上では、ＰＣ内にあるグラフィックカードがディスプレイと通信し、グラフィックドライバ及びその他の関連ソフトウェアとして何を見つけたかを報告する。このソフトウェアは、どの設定がディスプレイに対応しそうかを決定しようと試み、適切な設定を選択する。ユーザの選択を考慮することができ、ユーザに利用可能な設定のリストを呈示し、そこから選択できるようにしてもよい。典型的なメニューでは、例えば、ユーザは８００ｘ６００、１０２４ｘ７６８、１２８０ｘ１０２４の解像度、及び６０Ｈｚ、７０Ｈｚ、７５Ｈｚのリフレッシュ周波数から選択することができる。ディスプレイが従来のテレビである場合、設定はＰＡＬ、ＳＥＣＡＭ、ＮＴＳＣといったテレビ信号規格間の選択からなる。デバイスドライバとグラフィックカードの組合せは、次いでこの選択を受け取り、指定されたモードでディスプレイを駆動するよう適切なパラメータを選択する。ユーザは水平及び垂直サイズ、並びにイメージの位置あわせといったことを調整することもでき、これらもパラメータに変化をもたらす。ユーザーは表示色、すなわちイメージの生成に関係する画素ごとのビット数、を指定することもできる。これにより、ピクセル値をメモリから読み取り、ディスプレイに送る処理及びタイミングが決定される。
【０００４】
グラフィックシステムは、ルーチンで詳細なタイミングパラメータをグラフィックアダプタに与えることができるが、この情報はネットワークを越えるものではない。シンクライアントを使用するようなネットワークディスプレイシステムでは、一般的にデバイス自身に固定した一連のタイミングパラメータを記憶し、これらをリモートから設定することができない。例えば、このようなシステムは空港内で用いられており、各ディスプレイが、ネットワークを介してセントラルサーバに接続されるコンピュータを有するデバイス、通常はコンピュータ、によって制御されている。各コンピュータ上にあるソフトウェア及びハードウェアは、対応するディスプレイデバイスがこのディスプレイデバイスを駆動するのに用いる様々なモードに対応する必要がある。これはディスプレイデバイスを駆動するのに比較的高レベルなデバイスを要求し、ディスプレイデバイスが、コンピュータで過去に使用されていないモデルに変更された場合、新しいディスプレイデバイスは、コンピュータで用いられるソフトウェアのいくつかのアップデートなしに、駆動させることができないことを時に意味する。この「配布される設定」は複雑で、管理するには高価である。
【発明の開示】
【発明が解決しようとする課題】
【０００５】
従って、公知技術を改良するのが本発明の目的である。
【課題を解決するための手段】
【０００６】
本発明の第１の態様によると、複数のディスプレイデバイスと、複数のディスプレイ制御デバイスとを具え、各ディスプレイデバイスが少なくとも１のディスプレイ制御デバイスに接続されており、データ処理デバイス及び汎用データネットワークを具え、前記データ処理デバイスが前記データネットワークを介して各ディスプレイ制御デバイスに接続されており、前記データ処理デバイスは制御信号をディスプレイ制御デバイスに伝送するように構成され、前記制御信号は映像信号設定データを含み、当該映像信号設定データはタイミング及び周波数データを含むディスプレイシステムが提供される。
【０００７】
本発明の第２の態様によると、ディスプレイシステムを操作する方法であって、前記ディスプレイシステムが複数のディスプレイデバイスと、複数のディスプレイ制御デバイスとを具え、各ディスプレイデバイスが少なくとも一のディスプレイ制御デバイスに接続されており、データ処理デバイス及び汎用データネットワークとを具え、前記データ処理デバイスが前記データネットワークを介して各ディスプレイ制御デバイスに接続されており、前記方法が、制御信号を前記データ処理デバイスから１のディスプレイ制御デバイスへ伝送するステップを具え、前記制御信号は映像信号設定データを含み、当該映像信号設定データはタイミング及び周波数データを含む方法が提供される。
【０００８】
本発明によって、広範囲のビデオモードを、予め定められた一連のパラメータによって制約するよりはむしろ、ディスプレイ制御デバイスによって対応づけることができる。上記によって、制御デバイスが作られたときには定義されなかったモードに、制御デバイスを対応づけることができる。これにより、不良デバイスを新しいデバイスを手動で設定することなく代替品と交換することができ、多重制御デバイスを自動的に設定することができ、従って、簡素化した管理、特にリモート管理ができる。
【０００９】
ビデオ設定データはスタートアップ時を除き、システム操作中の任意の時間に変更できる。これにより、解像度や照度といったパラメータをシステムやいくつかの特定のアプリケーションのニーズにより、又はディスプレイデバイスの交換といったハードウェア構成の変更に応じて、変更することができる。
【００１０】
利点は、ディスプレイ制御デバイスにおけるより大きなフレキシビリティ及び効率性、並びに将来にも通じる設計（ｆｕｔｕｒｅ−ｐｒｏｏｆ  ｄｅｓｉｇｎ）にある。フレキシビリティにより、明白な商用利益を伴って異なる装置を異なるマーケットに供給する必要性が回避される。将来にも通じる設計は、新しいディスプレイデバイスが発明された場合に、時代遅れになる技術を避けたい顧客に対する認識価値も向上させる。ディスプレイ制御デバイスはより低コストで製造することもできる。
【００１１】
本発明の第３の態様によると、複数のディスプレイデバイスと、複数のディスプレイ制御デバイスとを具え、各ディスプレイデバイスが少なくとも１のディスプレイ制御デバイスに接続され、データ処理デバイス及び汎用データネットワークとを具え、前記データ処理デバイスは前記データネットワークを介して各ディスプレイ制御デバイスに接続されており、前記データ処理デバイスは制御信号をディスプレイ制御デバイスに伝送するように構成され、前記制御信号は少なくとも省電力データ、メモリ使用のデータ、明度及びコントラストのデータ、色温度のデータ、又はディスプレイアドレスのデータのうちの１つを含むディスプレイシステムが提供される。
【００１２】
省電力モードの選択もリモートで制御することができる。これにより、組織全体の実質的な省電力をもたらすことができ、例えば事務所を閉める際に、多数のモニタを省電力モードにすることができる。時には、セキュリティの理由から空き部屋にあるディスプレイのスイッチを切ることが所望される。多くのディスプレイデバイスのために、少なくともいくつかの省電力モードはビデオタイミング信号の操作によって起動し、従って、本発明の２つの態様を組み合わせることが、道理にかなっている。
【００１３】
デバイス内のメモリ使用を制御することによって、接続されたディスプレイ及び選択されたビデオモードの最適な設定をすることができるが、デバイスへ送信されようとするビデオデータの性質を考慮することもできる。簡単な例として、当分の間は、デバイスに送られる全てのデータが赤及び青の値のいずれかを表現する５ビット及び緑の値を表現する６ビットを有する１６ビットのピクセル形式であることをデータ処理デバイスが認識していれば、データ処理デバイスはこれに合致するようにデバイス内のメモリの使用を設定することができる。これにより、例えば、常にディスプレイがピクセル当たり３２ビットで駆動されると仮定する場合より、ビデオデータの処理効率が向上し、デバイス上のメモリ、及び恐らくはネットワーク帯域幅をより上手に使用するであろう。
【発明を実施するための最良の形態】
【００１４】
図１におけるディスプレイシステム１０は、複数のディスプレイデバイス１２と、複数のディスプレイ制御デバイス１４とを具えている。各ディスプレイデバイス１２は、ディスプレイ制御デバイス１４に接続され、ディスプレイ制御システム１４はディスプレイデバイス１２によって表示されるイメージを駆動する。このシステム１０はまた、データ処理デバイス１６とデータネットワーク１８とを具え、データ処理デバイス１６はデータネットワーク１８を介して各ディスプレイ制御デバイス１４に接続される。データネットワークは、イーサネット及び８０２．１１の規格ファミリで説明されるような汎用データネットワークである。
【００１５】
図２はディスプレイシステム１０の別の実施例を示し、ディスプレイ制御デバイス１４が各自のディスプレイデバイス１２と一体となっている。データ処理デバイス１６は汎用データネットワーク１８を介して、様々なディスプレイ制御デバイス１４と通信する。
【００１６】
両実施例において、データ処理システム１６は制御信号２０を各ディスプレイ制御デバイス１４に伝送するように構成され、制御信号２０は映像信号設定データを含み、映像信号設定データはタイミング及び周波数データを含む。
【００１７】
ネットワーク接続された制御デバイス１４がディスプレイ１２を駆動する場合において、詳細な映像信号設定情報２０は、デバイス１４内に事前設定されるのではなく、むしろネットワーク１８上を通ってデバイス１４に送信される。このデバイス１４は、デバイス１４に接続されたディスプレイ１２についての情報をネットワーク１８上を通って送出することができる。ネットワーク上のリモートエンティティ、典型的にＰＣ１６は、上記又はその他の情報に基づいて、適切な設定を決定でき、制御デバイス１４に設定を送信し、これに応じて、次いでディスプレイ１２が駆動される。
【００１８】
同様に、ディスプレイデバイス１２上の省電力モード及びメモリ使用の選択に関する決定も、ネットワーク１８上を通って制御デバイス１４に送信され、デバイス１４によって、これらのモードがディスプレイ１２上で選択できるようになる。最後に、データをディスプレイ１２にラスタするアドレスも、デバイスに固定されたり限定された一組の選択肢から選択されるのではなく、むしろネットワーク１８上を通って、制御信号２０内に送信することができる。
【００１９】
システムは主に、ディスプレイ１２を駆動し、シンクライアントやディスプレイネットワークアダプタのようなネットワーク１８に接続される、より簡単なデバイス１４に関する。これらはローカルストレージ又はローカルユーザインタフェースという手段をほとんど持たなくてもよい。伝統的に、このような制御デバイスは、基本的なディスプレイの解像度及び周波数をデバイスが対応するものから選択できるといった設定モードを有している。結果として、デバイスに接続されるこれらのディスプレイは、デバイスによって既知のビデオタイミングパラメータのものに制限される。
【００２０】
図１及び２の実施例に示されるようなシステムにおいて、ネットワーク接続されたデバイス１４は、ネットワーク１８上を通って全範囲のビデオインタフェース設定情報を受信でき、従って限定されたサブセットをローカルに保存する必要を回避している。「１０２４ｘ７６８」のようなより単純な概念というよりは、正確なタイミング及び周波数がネットワークトラフィック内で指定される。例えば、ディスプレイによって用いられる一般的な解像度が１０２４ｘ７６８及び１２８０ｘ１０２４であり、そしてワイドスクリーンの顧客設定が１２８０ｘ７６８又は１２８０ｘ８５４の解像度が人気であるときにディスプレイが製造された場合、たとえその規格が製造時は知られておらず、例えば、ファームウェアのアップデートを実装するほど一般的ではなくても、デバイス１４がこれらの新しいディスプレイ１２を駆動できるよう構成することができる。従って、システム１０を全体として便利にアップデートして、新しいモデルのディスプレイに対処し、最良のディスプレイ駆動の仕方に関する決定をすることができる。
【００２１】
ネットワーク接続されたディスプレイ制御デバイス１４は、上記の制御信号２０をＰＣ又はサーバのようなネットワーク１８上のデータ処理デバイス１６から受信し、データ伝送は両端から、すなわちデータ処理デバイス１６からの「プッシュ」、又はネットワーク接続されたディスプレイ制御デバイス１４からの要求のいずれからも開始できる。ネットワーク接続されたディスプレイ制御デバイス１４は、それ自体に多くの機能を設ける必要はない結果として、より単純により低コストにすることができる。また、より長い耐用寿命を有する。データ処理デバイスは複数のディスプレイデバイス１２全てを制御し、それらのデバイス全てに設定を提供することができる。一般的には同時にではないが、１のディスプレイが複数のデータ処理デバイスにより制御されてもよい。
【００２２】
本発明の重要な用途は、例えば、「ビデオウォール」型のディスプレイの一部として、複数のディスプレイを一緒に使用する必要がある場合である。ディスプレイの解像度、照度、コントラスト、色温度を合致させること、及びいくつかの場合においては、全体としてディスプレイを横切るちらつきの出現を避けるべくスクリーンのリフレッシュを同期させることが所望される。ディスプレイがネットワークへ接続されたとき、本発明の方法でこれらのパラメータが全てネットワークを介して制御できれば、このマニュアル処理又は自動較正の工程がより簡単になる。時には、他の独立したディスプレイの群を他の理由により一緒に制御する必要があるかもしれない。一例は映画館における情報スクリーンであり、多様な異なるタイプの情報を表示するが、上演が開始すると、全て暗くしなければならない。ディスプレイを本発明の方法で駆動すると、このような機能は直ちに利用できる。
【００２３】
多くのディスプレイデバイス１２を、使用しない時は低電力モードに切り替えることができる。これにより、ディスプレイを暗くし、又は完全にスイッチを切ることができる。従来モデルのＰＣでは、ある時間に任意のユーザ入力を受け取らない場合、上記は一般的にはＰＣによって起動される。
【００２４】
ディスプレイを省電力モードにする処理は、多様な方法で実現することができる。多くのディスプレイモデルでは、映像信号を変更、例えば同期信号のうちの一つを切ることにより、前記工程を実現することができる。他には、例えば上述したＤＤＣプロトコルの使用を通じて、これを実現してもよい。この処理のいくつか又は全てをネットワーク１８を介してアクセス可能にすることにより、電源利用全体の多くの情報及び制御が得られる構成となる。例えば、朝の早い時間で乗客がいない空港は、空港内の全てのディスプレイを暗くするかスイッチを切るかを選ぶことができ、直接的な電気の節約と、例えば空調量の低減を通じて間接的な電気の節約の両方をすることができる。また、これはディスプレイの寿命を延ばすことができる。同様に、特定の期間、特定のターミナル又は航空路の運行が見込まれない場合、他の部分に影響を及ぼすことなく、空港の該当部分にあるディスプレイのスイッチを切ることができる。
【００２５】
ほとんどのディスプレイデバイスは、フレームバッファメモリからピクセル値を読み取り、画素の色として解釈し、適切な方法でディスプレイに送信する駆動デバイスにより形成されるイメージを表示する。この態様でも、慣習的に駆動デバイスで事前設定され、更にネットワーク上を通って前記デバイスに有利に送信することができる設定パラメータがある。これらは、画素を表示するのに使用されるビット数と、これらのビットが画素の色を形成するように解釈する方法と、それらを記憶域に入力する方法と、使用されるメモリ量と、デバイスに記憶される様々なスクリーンイメージの数と、デバイスの各ページに使用されるメモリの開始アドレスとを含んでいる。
【００２６】
これらのパラメータも制御信号２０においてネットワーク１８上で制御可能にすることにより、データ処理デバイス１６はこれらを選択し、選択した設定で最も効果的なメモリの使用をすることができ、ネットワーク１８上を通ってディスプレイデバイス１２に送信されるイメージデータを記憶し、処理することを最も効果的にすることができる。
【図面の簡単な説明】
【００２７】
本発明の実施例は添付図を参照し、例証としてのみここに説明される：
【図１】図１は、ディスプレイシステムの概略図である；
【図２】図２は、ディスプレイシステムの第２の実施例の概略図である。
【図１】
2009506355.tif 000003
【図２】
2009506355.tif 000004
【国際調査報告】
2009506355.tif 000005
2009506355.tif 000006